(57)【要約】【課題】前面パネルと化粧パネルのサイズバラツキや組み立てバラツキに対して、柔軟に対応することのできるインジケータ回路ユニット及びそれを用いた電子機器を提供することを目的とする。【解決手段】本発明は、電子機器の前面パネルに配される光インジケータを構成するためのインジケータ回路ユニット（０３００）であって、光源素子搭載基板（０３０１）と、光インジケータを構成し光源素子搭載基板上の発光を前面パネル表面側に導くための導光ユニット（０３０２）と、光源素子搭載基板と導光ユニットとを収納する収納ケース（０３０３）と、からなるインジケータ回路ユニットを提供する。また、前記インジケータ回路ユニットと、インジケータ回路ユニットを弾性的に係止するための係止領域を有する前面パネルと、を有する電子機器を提供する。【選択図】図３
2007298576.tif 000002
【特許請求の範囲】
【請求項１】
電子機器の前面パネルに配される光インジケータを構成するためのインジケータ回路ユニットであって、
光源素子搭載基板と、
光インジケータを構成し、光源素子搭載基板上の発光を前面パネル表面側に導くための導光ユニットと、
光源素子搭載基板と、導光ユニットとを収納する収納ケースと、
からなるインジケータ回路ユニット。
【請求項２】
前記光源素子は、ＬＥＤ、蛍光管、蛍光表示管のうちいずれか一である請求項１に記載のインジケータ回路ユニット。
【請求項３】
前記収納ケースは、ケース外方向へのバネ性にて自身を所定の係止領域に弾性的に固定するための弾性リブを有する請求項１又は２に記載のインジケータ回路ユニット。
【請求項４】
請求項３に記載のインジケータ回路ユニットと、
前記インジケータ回路ユニットを弾性的に係止するための係止領域を有する前面パネルと、を有する電子機器。
【請求項５】
前記前面パネルは、導光ユニットの導光路用貫通穴を備えた化粧パネルを有する請求項４に記載の電子機器。
【請求項６】
前記前面パネルは、平面ディスプレイ本体の周辺をカバーする枠形状である請求項４又は５に記載の電子機器。
【請求項７】
前記化粧パネルは、枠形状の前面パネルのなかで前面パネルがカバーする平面ディスプレイ本体側最内周に配置された枠形状のパネルである請求項６に記載の電子機器。
【発明の詳細な説明】
【技術分野】
【０００１】
液晶テレビ等におけるＬＥＤ表示部やリモコン受光部を有するインジケータ回路ユニットの柔軟な構造とそのインジケータ回路ユニットを有する電子機器に関する。
【背景技術】
【０００２】
通常、電子機器のＬＥＤ表示部やリモコン受光部など光インジケータは、光源素子搭載基板からの光を導光ユニットにより電子機器の前面に誘導するように構成されている。そして、通常、これらの光インジケータを構成する部品は、該電子機器の前面パネルに取付けボスや貫通穴を配置し、ビスにより固定されている。また、特許文献１に記載の電装品ユニットの取付構造のように、ケーシング（前面パネルに相当）に所定の位置に案内するガイド部を設けるようにしたものもある。しかし、前面パネルに特許文献１に記載のガイド部のようなボスやリブを配置すると、前面パネル表面に成形による凹凸やひけが発生し、外観不良となるという問題があった。
【０００３】
そのため、前面パネルのさらに前面に化粧パネルを配置し、導光ユニットを前面に誘導する貫通穴を化粧パネルにも設けるようにした電子機器もある。これにより、化粧パネルにはボスやリブを形成しないため、外観不良となることはない。
【特許文献１】特開２０００−２４０９７１号公報
【発明の開示】
【発明が解決しようとする課題】
【０００４】
しかし、前面パネルの前面に前枠を配置した場合には、光インジケータを構成する導光ユニットは、前面パネルと化粧パネルの２つの挿入孔に挿入する必要が生じる。図１上図は電子機器の前面に構成される従来の光インジケータ（０１０６）の一例を示しており、図１（１）はその光インジケータ部分のＡ−Ａ断面の分解図を、図１（２）は組み立て図を示している。図１（１）に示すように、導光ユニット（０１０３）を前面に誘導するための貫通穴を有する前面パネル（０１０２）に導光ユニットを挿入し、光源素子搭載基板（０１０４）をビス（０１０５）により固定する。さらに、前面パネルの前面に、貫通穴を有する化粧パネル（０１０１）を配して、外観を整えている。したがって、導光ユニットを前面に誘導するためには、図１（２）（３）に示すように、導光ユニットが、前面パネル（０１０２）と化粧パネル（０１０１）の２つの挿入孔に嵌合する必要がある。しかし、前面パネルと化粧パネルの成形時のサイズバラツキや、組み立てバラツキがある場合には、各部材の貫通穴にずれが生じる可能性がある。図２（１）は、図１（３）と同じ貫通穴部分の拡大図であるが、組み立てバラツキにより化粧パネル（０２０１）が左へずれてしまった場合を示している。このように、部品のずれが生じた場合には、貫通穴の内径が狭まるため、導光ユニット（０２０３）の取付けが困難になってしまうという問題があった。また、前記バラツキがさらに大きい場合には、図２（２）に示すように、導光ユニットの挿入ができなくなる可能性もある。さらに、無理に挿入した場合には、図２（３）に示すように、導光ユニットの表面の破損や傷不良（０２０５）が生じたり、導光ユニットの変形（０２０４）や破損を生じる可能性もあった。
【課題を解決するための手段】
【０００５】
上記課題を解決するために、本発明は、前面パネルと化粧パネルのサイズバラツキや組み立てバラツキに対して、柔軟に対応することのできるインジケータ回路ユニットを提供する。また、該インジケータ回路ユニットを有する電子機器を提供する。具体的には、第一発明は、電子機器の前面パネルに配される光インジケータを構成するためのインジケータ回路ユニットであって、光源素子搭載基板と、光インジケータを構成し、光源素子搭載基板上の発光を前面パネル表面側に導くための導光ユニットと、光源素子搭載基板と導光ユニットとを収納する収納ケースと、からなるインジケータ回路ユニットを提供する。また、第二発明は、前記光源素子が、ＬＥＤ、蛍光管、蛍光表示管のうちいずれか一である第一発明に記載のインジケータ回路ユニットを提供する。さらに、第三発明は、前記収納ケースが、ケース外方向へのバネ性にて自身を所定の係止領域に弾性的に固定するための弾性リブを有する第一又は第二発明に記載のインジケータ回路ユニットを提供する。
【０００６】
また、第四発明は、第三発明に記載のインジケータ回路ユニットと、前記インジケータ回路ユニットを弾性的に係止するための係止領域を有する前面パネルと、を有する電子機器を提供する。さらに、第五発明は、前記前面パネルが、導光ユニットの導光路用貫通穴を備えた化粧パネルを有する第四発明に記載の電子機器を提供する。第六発明は、前記前面パネルが、平面ディスプレイ本体の周辺をカバーする枠形状である第四又は第五発明に記載の電子機器を提供する。また、第七発明は、前記化粧パネルが、枠形状の前面パネルのなかで前面パネルがカバーする平面ディスプレイ本体側最内周に配置された枠形状のパネルである第六発明に記載の電子機器を提供する。
【発明の効果】
【０００７】
以上のような構成をとる本発明のインジケータ回路ユニットによって、光インジケータを構成する部材が一の部材となり、種々の電子機器への展開が可能となる。また、弾性リブを有しているため、前面パネル及び化粧パネルのサイズバラツキや組み立てバラツキに対して、柔軟に対応することができる。
【０００８】
また、本発明のインジケータ回路ユニットを有する電子機器は、前面パネル及び化粧パネルに導光ユニットや光源素子搭載基板を固定するために枠面などに立設するリブなどを必要としない為、枠面、すなわち電子機器の表面の外観不良が少なくなる。また、インジケータ回路ユニットは、ビスなどによる固定ではなく、弾性リブによる固定であるため、前面パネル及び化粧パネルのサイズバラツキや、組み立てバラツキがあった場合でも、容易に取付けを行うことができ、導光ユニットの破損や傷不良などをなくすことができる。
【発明を実施するための最良の形態】
【０００９】
以下に図面を用いて本発明の実施の形態を説明する。なお、本発明は、これらの実施の形態に限定されるものではなく、その要旨を逸脱しない範囲において、種々なる態様で実施しうる。なお、実施形態１は、主に請求項１から３について説明する。実施形態２は、主に請求項４から７について説明する。
【００１０】
≪実施形態１≫
<実施形態１の概要>
電子機器の前面パネルに配される光インジケータを構成するためのインジケータ回路ユニットに関する。
【００１１】
<実施形態１の構成>
図３は、本実施形態のインジケータ回路ユニットの構成を示す分解斜視図である。本実施形態の「インジケータ回路ユニット」（０３００）は、「光源素子搭載基板」（０３０１）と、「導光ユニット」（０３０２）と、「収納ケース」（０３０３）とからなる。
【００１２】
「インジケータ回路ユニット」（０３００）は、電子機器の前面パネルに配される光インジケータを構成する。光インジケータとは、電源のＯＮ・ＯＦＦなどを光によって表示したり、リモコンなどからの光信号の受光等を行うための計器をいう。光インジケータは、通常、光源素子搭載基板（０３０１）と導光ユニット（０３０２）を組み立てることによって構成されているが、本発明においては、該光源素子搭載基板等が下記に示すような構成を有する一のユニットとしてなることを特徴とする。図４は、組み立てた状態のインジケータ回路ユニット（０４００）の一例を、その（１）前面及び（２）裏面の斜視図にて示している。光源素子搭載基板（０４０１）と導光ユニット（０４０２）が収納ケース（０４０３）に収納され、ビス（０４０４）により固定されている。このような一のユニットとすることにより、同様の構成を有する種々の電子機器に対応可能となる。
【００１３】
「光源素子搭載基板」（０３０１）は、電源のＯＮ・ＯＦＦなどの表示を行うための光源素子を搭載した回路基板をいう。光源素子としては、例えば、ＬＥＤや、冷陰極管などの小型の蛍光管、蛍光表示管などが挙げられる。また、バックライト光源の光を導光板によりＬＣＤに導くようにした基板であってもよい。この場合には、バックライト光源としてＬＥＤや有機ＥＬ素子などを用いることができる。また、同一基板上にリモコンなどの光信号の受光を行うための回路を有していてもよい。光信号の受光を行うための受光素子としては、フォトダイオード（ＰＤ）などが挙げられる。さらに、光源素子搭載基板上には、光センサーなどの集積回路（ＩＣ）等を有していてもよい。また、本発明の光源素子搭載基板は、一の基板上にこれらの発光素子や受光素子を複数有していてもよい。なお、光源素子搭載基板は、制御部と接続するためのコネクタなどの回路制御に必要な構成を備えている。
【００１４】
「導光ユニット」（０３０２）は、光インジケータを構成し、光源素子搭載基板（０３１１）上の発光を前面パネル表面側に導くように構成されている。また、受光素子を有する場合には、リモコン等から送信される赤外線を光源素子搭載基板上に導くようにも構成されている。図５は、導光ユニットの一例を示しており、導光ユニットを（１）前面、（２）下面、（３）裏面から見た図である。導光ユニット（０５００）は、透明なアクリル等により形成され、前記光源素子搭載基板上の光源素子又は受光素子とそれぞれ組み合わさる位置に、効率的に光を導くための円柱状等の形状を有する導光路（０５０１）を有している。導光ユニットは、一の部材であっても、二以上の部材から構成されていてもよい。また、導光ユニットに光源素子搭載基板との嵌合を行う突起部（０５０２）などを設け、導光路の位置合わせを行うようにしてもよい。
【００１５】
「収納ケース」（０３０３）は、光源素子搭載基板（０３０１）と、導光ユニット（０３０２）とを収納するように構成されている。図６は、収納ケースの（１）前面及び（２）裏面を示す斜視図である。また、図７（１）は収納ケースの裏面正面図を示し、さらにそのＢ−Ｂ断面を図７（２）に示している。図６及び図７に示すように、収納ケースは、前記導光ユニットの導光路の貫通する貫通穴（０６０１、０７０１）を有している。また、収納ケースは、導光ユニットの隣接導光路間の光干渉防止用リブ（０６０２、０７０２）を有していてもよい。この場合には、図５に示すように、一の部材として形成されている導光ユニット（０５００）に、光干渉防止用リブと嵌合する切れ込み（０５０３）を設けるようにすることにより、導光ユニットを収納ケースと嵌合する場合の位置合わせにも用いることができる。
【００１６】
さらに、本実施形態の収納ケースは、前面側に図８に示すような、弾性リブ（０８０１ａ、０８０１ｂ）を有することを特徴とする。「弾性リブ」（０８０１）は、ケース外方向へのバネ性にて自身を所定の係止領域に弾性的に固定するように構成されている。「係止領域」とは、他の部材に形成される収納ケースを係止するための領域をいい、収納ケースを有するインジケータ回路ユニットが配される領域をいう。弾性リブは、収納ケース（０８００）の前面側本体部分（後述する固定部）の４端にて形成される四角形よりも所定の幅だけケース外方向へはみ出すように形成される。所定の幅とは、導光路の挿入される部材のサイズバラツキなどを許容することのできる幅をいう。これにより、インジケータ回路ユニットは、弾性リブの所定の幅分のずれを許容することができる。弾性リブ（０８０１ａ）は、図の上下方向のバネ性により、インジケータ回路ユニットの上下方向の固定を行うことができる。また、弾性リブ（０８０１ｂ）は、図の左右方向のバネ性により、インジケータ回路ユニットの左右方向の固定を行うことができる。このような形状とすることにより、ビス等を用いていないため、インジケータ回路ユニットを弾性的に固定することができる。なお、弾性リブの形状は、バネ性を有していればよく、図に示す形状に限られない。
【００１７】
また、収納ケースをさらに詳細に説明すると、図６に示すように、貫通穴（０６０１）及び弾性リブ（０６０４）を有する面にて構成される固定部と、側壁（０６０５）に囲われ光干渉防止用リブ（０６０２）やインジケータ回路ユニットと結合するためのボス（０６０３）を有する収納部とから構成されている。この収納部を形成する側壁は、収納される導光ユニットおよび光源素子搭載基板を保護するとともに、インジケータ回路ユニット外からの光干渉を防止することができる。そのため、収納部の大きさは、特に限定されないが、導光ユニットおよび光源素子搭載基板を収納することができる大きさであることが好ましい。また、固定部及び収納部は、一体成形により形成することができる。
【００１８】
<実施形態１の効果>
本実施形態に示すインジケータ回路ユニットによれば、光インジケータを構成する部材が一の部材となり、種々の電子機器への展開が可能となる。また、本実施形態のインジケータ回路ユニットは弾性リブを有しているため、前面パネル及び化粧パネルのサイズバラツキや組み立てバラツキに対して、柔軟に対応することができる。
【００１９】
≪実施形態２≫
<実施形態２の概要>
前面パネルに、実施形態１にて説明したインジケータ回路ユニットを配し、さらに化粧パネルにてインジケータ回路ユニットを固定した電子機器に関する。
【００２０】
<実施形態２の構成>
図９は、本実施形態の電子機器の一例を示す分解斜視図である。本実施形態の「電子機器」（０９００）は、「インジケータ回路ユニット」（０９１０）と、「前面パネル」（０９２０）を有し、さらに前面パネルが「化粧パネル」（０９３０）を有する。
【００２１】
本実施形態の「電子機器」（０９００）は、光インジケータを有する電子機器であればよく、特に限定されない。例えば、平面ディスプレイ装置、オーディオ装置、携帯電話機などの装置が該当する。本実施形態においては、平面ディスプレイ装置を例に説明する。
【００２２】
「前面パネル」（０９２０）は、インジケータ回路ユニット（０９１０）を弾性的に係止するための係止領域（０９２１）を有するように構成されている。図１０は、電子機器が平面ディスプレイ装置である場合の、光インジケータが配される部分の前面パネルの斜視図である。このように、電子機器が平面ディスプレイ装置である場合には、前面パネルは、平面ディスプレイ本体の周辺をカバーする枠形状を有する。平面ディスプレイ本体とは、図示していないが、ＬＣＤパネル等にて構成される表示機能を有する部分をいう。
【００２３】
また、図１１（１）は、図１０に示した前面パネルの正面図である。係止領域（１１２１）は、図１１（１）に示すように、インジケータ回路ユニットの収納部を挿入するための開口部（１１２２）と、前面パネルの表面位置よりも所定の幅だけ窪んだインジケータ回路ユニットを弾性リブにて係止するための嵌め込み部（１１２３）を有する。図１１（２）は、係止領域にインジケータ回路ユニット（１１１０）を配した状態を示している。本実施形態の「インジケータ回路ユニット」（１１１０）は、実施形態１にて説明したものと同様に、光源素子搭載基板と、導光ユニット（１１１２）と、弾性リブ（１１１１）を有する収納ケースとからなる。この前面パネルに形成される係止領域の開口部は、収納ケースの収納部の側壁にて形成される四角形よりも所定の幅分大きな領域を有する。同様に、この前面パネルに形成される係止領域の嵌め込み部は、収納ケースの固定部の４端にて形成される四角形よりも所定の幅分大きな領域を有する。前記開口部及び嵌め込み部の所定の幅とは、弾性リブのケース外方向へのはみ出し分と同様に、前面パネルと化粧パネルのサイズバラツキや組み立てバラツキがある場合であっても、導光ユニットの導光路を化粧パネルの導光路用貫通穴に正しく挿入することができる幅をいう。また、前面パネルに形成される係止領域の嵌め込み部の窪みの幅は、インジケータ回路ユニットを構成する収納ケースの固定部の高さと同じ高さとすることにより、その窪みの壁面にて弾性リブによる係止を行うことができる。また、前面パネルにインジケータ回路ユニットを配した状態において、段差のない状態とすることにより、インジケータ回路ユニットの電子機器の前後方向への固定も行うことができる。
【００２４】
「化粧パネル」（０９３０）は、前面パネル（０９２０）の一部であり、導光ユニットの導光路用貫通穴（０９３１）を有するように構成されている。導光路用貫通穴とは、図９に示すように、インジケータ回路ユニットに含まれる導光ユニットの導光路を挿入するための開口をいう。電子機器が平面ディスプレイ装置である場合には、化粧パネルは、枠形状の前面パネルのなかで前面パネルがカバーする平面ディスプレイ本体側最内周に配置された枠形状のパネルに該当する。
【００２５】
図１２は、図１に示した電子機器と同様に光インジケータ部分のＡ−Ａ断面の分解図（１）および組み立て図（２）を示している。図１２（１）に示すように、光源素子搭載基板（１２１１）と導光ユニット（１２１２）と収納ケース（１２１３）からなるインジケータ回路ユニット（１２１０）を、前面パネル（１２２０）の係止領域（１２２１）に配し、さらに前面に化粧パネル（１２３０）を配する。このとき、図１２（２）に示すように、化粧パネルの導光路用貫通穴（１２３１）と収納ケースの導光路用貫通穴（１２１５）とが正しく重なることにより、導光路を電子機器の前面に誘導することができる。しかし、図１３（１）に示すように、化粧パネルのサイズバラツキ等により左にずれた場合には、そのままでは導光ユニットの導光路が化粧パネル貫通穴に挿入することができない。しかし、本実施形態のインジケータ回路ユニット（１３１０）は、図１３（２）に示すように、弾性リブにより化粧パネルのずれ分（１３１１）を調整することにより、化粧パネルの導光路用貫通穴に導光ユニットの導光路を挿入することができるように移動することができる。
【００２６】
<実施形態２の効果>
本発明のインジケータ回路ユニットを有する電子機器によれば、前面パネル及び化粧パネルに導光ユニットや基板の固定形状を配置する必要が無い為、ヒケを生じさせることがなく、電子機器の表面の外観不良が少なくなる。また、弾性リブを有するインジケータ回路ユニットを用いているため、導光路の位置を柔軟に移動させることができる。これにより、前面パネル及び化粧パネルのサイズバラツキや組み立てバラツキによりインジケータ回路ユニットの導光路貫通穴と化粧パネル貫通穴の位置が多少のずれた場合であっても、導光路を適切な位置に追随させることができる。そのため、インジケータ回路ユニットを電子機器に容易に取付けることができるともに、導光ユニットの破損や傷不良などをなくすことができる。
【図面の簡単な説明】
【００２７】
【図１】従来の光インジケータの構成を示す図
【図２】従来の光インジケータの問題点を示す図
【図３】インジケータ回路ユニット一例を示す分解斜視図
【図４】インジケータ回路ユニット一例を示す斜視図
【図５】導光ユニットの一例を示す図
【図６】収納ケースの一例を示す斜視図
【図７】収納ケースの裏面及び側面の一例を示す図
【図８】収納ケースの前面の一例を示す図
【図９】本発明の電子機器の光インジケータの分解斜視図
【図１０】前面パネルの一例を示す斜視図
【図１１】前面パネルへのインジケータ回路ユニットの組み立ての一例を示す図
【図１２】本発明の電子機器の構成の一例を示す分解図
【図１３】本発明の電子機器のずれに対する効果を説明する図
【符号の説明】
【００２８】
０３００    インジケータ回路ユニット
０３０１    光源素子搭載基板
０３０２    導光ユニット
０３０３    収納ケース
０３０４    ビス
【図１】
2007298576.tif 000003
【図２】
2007298576.tif 000004
【図３】
2007298576.tif 000005
【図４】
2007298576.tif 000006
【図５】
2007298576.tif 000007
【図６】
2007298576.tif 000008
【図７】
2007298576.tif 000009
【図８】
2007298576.tif 000010
【図９】
2007298576.tif 000011
【図１０】
2007298576.tif 000012
【図１１】
2007298576.tif 000013
【図１２】
2007298576.tif 000014
【図１３】
2007298576.tif 000015